(57)【特許請求の範囲】
【請求項１】
ボイラへ供給される空気の一部を空気予熱器を通過させずに、途中に空気予熱器バイパスダンパが設けられた空気予熱器バイパスラインを介して迂回させると共に、ボイラの節炭器を通過する前の高温の排ガスの一部を、途中に節炭器バイパスダンパが設けられた節炭器バイパスラインを介して脱硝装置の入側へ直接導くための空気予熱器バイパスダンパと節炭器バイパスダンパの協調制御方法であって、
ボイラ停止状態からボイラ起動後、空気予熱器入口空気温度と空気予熱器出口ガス温度との空気予熱器平均温度が設定値を越えるまでは、空気予熱器入口空気温度に基づいて求められる空気予熱器バイパスダンパ開度指令により空気予熱器バイパスダンパの開度調整を行い、
前記空気予熱器平均温度が設定値を越えてからは、ボイラ負荷に基づく空気予熱器平均温度設定値と前記空気予熱器平均温度との空気予熱器平均温度偏差をなくすための空気予熱器バイパスダンパ開度指令に対し、ボイラ負荷に基づく空気予熱器バイパスダンパ補正開度指令と、脱硝入口ガス温度に基づく空気予熱器バイパスダンパ補正開度指令とを加算して求めた空気予熱器バイパスダンパ開度指令により空気予熱器バイパスダンパの開度調整を行い、
前記空気予熱器バイパスダンパの開度調整と同時に、脱硝入口ガス温度設定値と脱硝入口ガス温度との脱硝入口ガス温度偏差をなくすための節炭器バイパスダンパ開度指令に対し、ボイラ負荷に基づく節炭器バイパスダンパ補正開度指令と、前記空気予熱器バイパスダンパへ出力される空気予熱器バイパスダンパ開度指令に基づく節炭器バイパスダンパ補正開度指令とを加算して求めた節炭器バイパスダンパ開度指令により節炭器バイパスダンパの開度調整を行うことを特徴とする空気予熱器バイパスダンパと節炭器バイパスダンパの協調制御方法。
【発明の詳細な説明】
【０００１】
【発明の属する技術分野】
本発明は、空気予熱器バイパスダンパと節炭器バイパスダンパの協調制御方法に関するものである。
【０００２】
【従来の技術】
一般に、燃料として石炭を粉砕した微粉炭が用いられる石炭焚ボイラ等のボイラは、図９に示される如く、火炉１の下流側に形成された後部伝熱部２内に、再熱器３と過熱器４とを配設すると共に、その下流側に節炭器５を配設してなる構成を有しており、前記ボイラの後部伝熱部２の下流側に接続された排ガスライン６の途中には、ボイラから排出される排ガスから窒素酸化物（ＮＯx）を除去するための脱硝装置７と、該脱硝装置７を通過した後の排ガスの熱を利用してボイラの火炉１へ供給される微粉炭搬送用の一次空気と燃焼用の二次空気を加熱するための空気予熱器８とを配設してある。
【０００３】
前述の如きボイラにおいては、火炉１内で微粉炭等の燃料の燃焼によって発生した燃焼ガスの熱により、後部伝熱部２内の再熱器３と過熱器４と節炭器５とが加熱され、蒸気が発生され、前記再熱器３と過熱器４と節炭器５とによって熱が奪われて温度降下した排ガスは、排ガスライン６を経て脱硝装置７において窒素酸化物が除去された後、空気予熱器８へ導入され、該空気予熱器８においてボイラの火炉１へ供給される微粉炭搬送用の一次空気と燃焼用の二次空気が前記排ガスの熱によって加熱される。
【０００４】
ところで、前述の如きボイラの場合、ボイラの起動時等において、脱硝装置７の入口でのガス温度が低いと、脱硝反応が充分に行われず、排ガスから窒素酸化物を除去できなくなるため、ボイラの後部伝熱部２の過熱器４出口部から分岐して脱硝装置７の入側における排ガスライン６に合流する節炭器バイパスライン９を設けると共に、該節炭器バイパスライン９の途中に節炭器バイパスダンパ１０を設け、脱硝入口ガス温度が設定値以下の場合には、前記節炭器バイパスダンパ１０を開くことにより、節炭器５を通過する前の高温の排ガスの一部を節炭器バイパスライン９を介して脱硝装置７の入側へ直接導き、脱硝入口ガス温度の上昇を早めることが行われている。
【０００５】
【発明が解決しようとする課題】
前述の如く、節炭器バイパスライン９を設けると共に、該節炭器バイパスライン９の途中に節炭器バイパスダンパ１０を設け、脱硝入口ガス温度が設定値以下の場合に、前記節炭器バイパスダンパ１０を開くようにすれば、節炭器５を通過する前の高温の排ガスの一部を節炭器バイパスライン９を介して脱硝装置７の入側へ直接導き、脱硝入口ガス温度の上昇を早めることは可能であるが、例えば、冬場のように大気温度が低い場合には、二次空気等をそのまま空気予熱器８へ導入すると、該空気予熱器８の出口ガス温度も低下し、該空気予熱器８の出口ガス温度が酸露点以下になると、排ガス中に含まれる硫黄分が結露して空気予熱器８の低温端に付着し腐食が生じるという欠点を有していた。
【０００６】
このため、最近、図９に示される如く、二次空気の一部を空気予熱器８を通過させずに迂回させるための空気予熱器バイパスライン１１を設けると共に、該空気予熱器バイパスライン１１の途中に空気予熱器バイパスダンパ１２を設け、空気予熱器８の出口ガス温度が低い場合には、前記空気予熱器バイパスダンパ１２を開くことにより、二次空気の一部を空気予熱器８を通過させずに迂回させ、空気予熱器８の出口ガス温度を早期に上昇させ、空気予熱器８の低温端腐食を防止することが提案されているが、前記空気予熱器バイパスダンパ１２の制御を前記節炭器バイパスダンパ１０の制御と協調させながら行う具体的な手段は開発されていないのが現状であった。
【０００７】
本発明は、斯かる実情に鑑み、節炭器バイパスダンパの制御と空気予熱器バイパスダンパの制御との協調を図りつつ、脱硝入口ガス温度の早期上昇並びに空気予熱器の低温端腐食防止を図り得る空気予熱器バイパスダンパと節炭器バイパスダンパの協調制御方法を提供しようとするものである。
【０００８】
【課題を解決するための手段】
本発明は、ボイラへ供給される空気の一部を空気予熱器を通過させずに、途中に空気予熱器バイパスダンパが設けられた空気予熱器バイパスラインを介して迂回させると共に、ボイラの節炭器を通過する前の高温の排ガスの一部を、途中に節炭器バイパスダンパが設けられた節炭器バイパスラインを介して脱硝装置の入側へ直接導くための空気予熱器バイパスダンパと節炭器バイパスダンパの協調制御方法であって、
ボイラ停止状態からボイラ起動後、空気予熱器入口空気温度と空気予熱器出口ガス温度との空気予熱器平均温度が設定値を越えるまでは、空気予熱器入口空気温度に基づいて求められる空気予熱器バイパスダンパ開度指令により空気予熱器バイパスダンパの開度調整を行い、
前記空気予熱器平均温度が設定値を越えてからは、ボイラ負荷に基づく空気予熱器平均温度設定値と前記空気予熱器平均温度との空気予熱器平均温度偏差をなくすための空気予熱器バイパスダンパ開度指令に対し、ボイラ負荷に基づく空気予熱器バイパスダンパ補正開度指令と、脱硝入口ガス温度に基づく空気予熱器バイパスダンパ補正開度指令とを加算して求めた空気予熱器バイパスダンパ開度指令により空気予熱器バイパスダンパの開度調整を行い、
前記空気予熱器バイパスダンパの開度調整と同時に、脱硝入口ガス温度設定値と脱硝入口ガス温度との脱硝入口ガス温度偏差をなくすための節炭器バイパスダンパ開度指令に対し、ボイラ負荷に基づく節炭器バイパスダンパ補正開度指令と、前記空気予熱器バイパスダンパへ出力される空気予熱器バイパスダンパ開度指令に基づく節炭器バイパスダンパ補正開度指令とを加算して求めた節炭器バイパスダンパ開度指令により節炭器バイパスダンパの開度調整を行うことを特徴とする空気予熱器バイパスダンパと節炭器バイパスダンパの協調制御方法にかかるものである。
【０００９】
上記手段によれば、以下のような作用が得られる。
【００１０】
ボイラ停止状態からボイラ起動後、空気予熱器入口空気温度と空気予熱器出口ガス温度との空気予熱器平均温度が設定値を越えるまでは、空気予熱器入口空気温度に基づいて求められる空気予熱器バイパスダンパ開度指令により空気予熱器バイパスダンパの開度調整が行われると共に、脱硝入口ガス温度設定値と脱硝入口ガス温度との脱硝入口ガス温度偏差をなくすための節炭器バイパスダンパ開度指令に対し、ボイラ負荷に基づく節炭器バイパスダンパ補正開度指令と、前記空気予熱器バイパスダンパへ出力される空気予熱器バイパスダンパ開度指令に基づく節炭器バイパスダンパ補正開度指令とを加算して求めた節炭器バイパスダンパ開度指令により節炭器バイパスダンパの開度調整が行われる。
【００１１】
前記空気予熱器平均温度が設定値を越えてからは、ボイラ負荷に基づく空気予熱器平均温度設定値と前記空気予熱器平均温度との空気予熱器平均温度偏差をなくすための空気予熱器バイパスダンパ開度指令に対し、ボイラ負荷に基づく空気予熱器バイパスダンパ補正開度指令と、脱硝入口ガス温度に基づく空気予熱器バイパスダンパ補正開度指令とを加算して求めた空気予熱器バイパスダンパ開度指令により空気予熱器バイパスダンパの開度調整が行われると共に、脱硝入口ガス温度設定値と脱硝入口ガス温度との脱硝入口ガス温度偏差をなくすための節炭器バイパスダンパ開度指令に対し、ボイラ負荷に基づく節炭器バイパスダンパ補正開度指令と、前記空気予熱器バイパスダンパへ出力される空気予熱器バイパスダンパ開度指令に基づく節炭器バイパスダンパ補正開度指令とを加算して求めた節炭器バイパスダンパ開度指令により節炭器バイパスダンパの開度調整が行われる。
【００１２】
この結果、冬場のように大気温度が低い場合には、空気予熱器入口空気温度に基づいて求められる空気予熱器バイパスダンパ開度指令により空気予熱器バイパスダンパが開かれ、二次空気の一部が空気予熱器を通過せずに迂回するため、空気予熱器の出口ガス温度が低下せずに早期に上昇し、空気予熱器の低温端腐食が防止される。
【００１３】
しかも、空気予熱器入口空気温度と空気予熱器出口ガス温度との空気予熱器平均温度が設定値を越えた後に切り換えて行われる、空気予熱器平均温度を空気予熱器平均温度設定値に保持するための空気予熱器バイパスダンパの制御においては、これと並行して行われる節炭器バイパスダンパの制御により脱硝入口ガス温度が上昇してくるが、本発明の場合には、脱硝入口ガス温度に基づいて求められる空気予熱器バイパスダンパ補正開度指令により、基本となる空気予熱器バイパスダンパ開度指令を修正しているため、節炭器バイパスダンパの制御に対し協調の取れた空気予熱器バイパスダンパの制御が可能となる。
【００１４】
又、空気予熱器の水洗時等、空気予熱器出口ガス温度の低下により、空気予熱器バイパスダンパの開度が大となり、制御余裕が不足した場合には、脱硝入口ガス温度を上昇させる必要があるが、本発明の場合、空気予熱器バイパスダンパへ出力される空気予熱器バイパスダンパ開度指令に基づいて求められる節炭器バイパスダンパ補正開度指令により、基本となる節炭器バイパスダンパ開度指令を修正し、節炭器バイパスダンパの開度を広げる方向に修正を加えるようになっているため、前記脱硝入口ガス温度を上昇させることができる。
【００１５】
【発明の実施の形態】
以下、本発明の実施の形態を図示例と共に説明する。
【００１６】
図１は本発明を実施する形態の一例であって、図中、図９と同一の符号を付した部分は同一物を表わしており、
脱硝装置７の入側における脱硝入口ガス温度１３を検出する脱硝入口ガス温度検出器１４と、空気予熱器入口空気温度１５を検出する空気予熱器入口空気温度検出器１６と、空気予熱器出口ガス温度１７を検出する空気予熱器出口ガス温度検出器１８とを設けると共に、
前記脱硝入口ガス温度検出器１４で検出された脱硝入口ガス温度１３と、前記空気予熱器入口空気温度検出器１６で検出された空気予熱器入口空気温度１５と、前記空気予熱器出口ガス温度検出器１８で検出された空気予熱器出口ガス温度１７とに基づき空気予熱器バイパスダンパ１２へ空気予熱器バイパスダンパ開度指令１９を出力し、且つ節炭器バイパスダンパ１０へ節炭器バイパスダンパ開度指令２０を出力する制御装置２１を設けてある。
【００１７】
前記制御装置２１は、図２に示す如く、空気予熱器入口空気温度１５と空気予熱器出口ガス温度１７との和２２を求めて出力する加算器２３と、
該加算器２３から出力される空気予熱器入口空気温度１５と空気予熱器出口ガス温度１７との和２２を２で割り空気予熱器平均温度２４を求めて出力する除算器２５と、
ボイラ負荷２６に基づき空気予熱器平均温度設定値２７を求めて出力する第一関数発生器２８と、
該第一関数発生器２８から出力される空気予熱器平均温度設定値２７より、前記除算器２５から出力される空気予熱器平均温度２４を差し引き空気予熱器平均温度偏差２９を求めて出力する減算器３０と、
該減算器３０から出力される空気予熱器平均温度偏差２９を比例積分処理して該空気予熱器平均温度偏差２９をなくすための空気予熱器バイパスダンパ開度指令３１を出力する比例積分調節器３２と、
ボイラ負荷２６に基づき空気予熱器バイパスダンパ補正開度指令３３を求めて出力する第二関数発生器３４と、
脱硝入口ガス温度１３に基づき空気予熱器バイパスダンパ補正開度指令３５を求めて出力する第三関数発生器３６と、
前記第二関数発生器３４から出力される空気予熱器バイパスダンパ補正開度指令３３と前記第三関数発生器３６から出力される空気予熱器バイパスダンパ補正開度指令３５との和を求め、空気予熱器バイパスダンパ補正開度指令３７として出力する加算器３８と、
前記比例積分調節器３２から出力される空気予熱器バイパスダンパ開度指令３１に対し前記加算器３８から出力される空気予熱器バイパスダンパ補正開度指令３７を加え、空気予熱器バイパスダンパ開度指令３９を出力する加算器４０と、
空気予熱器入口空気温度１５に基づき空気予熱器バイパスダンパ開度指令４１を求めて出力する第四関数発生器４２と、
シングルフリップフロップ４３から出力される出力信号４４が「１」の場合にａ側に切り換えられ、前記第四関数発生器４２から出力される空気予熱器バイパスダンパ開度指令４１を空気予熱器バイパスダンパ開度指令１９として空気予熱器バイパスダンパ１２へ出力する一方、シングルフリップフロップ４３から出力される出力信号４４が「０」の場合にｂ側に切り換えられ、前記加算器４０から出力される空気予熱器バイパスダンパ開度指令３９を空気予熱器バイパスダンパ開度指令１９として空気予熱器バイパスダンパ１２へ出力する切換器４５と、
脱硝入口ガス温度設定値４６と脱硝入口ガス温度１３との差を求め、脱硝入口ガス温度偏差４７を出力する減算器４８と、
該減算器４８から出力される脱硝入口ガス温度偏差４７を比例積分処理して該脱硝入口ガス温度偏差４７をなくすための節炭器バイパスダンパ開度指令４９を出力する比例積分調節器５０と、
ボイラ負荷２６に基づき節炭器バイパスダンパ補正開度指令５１を求めて出力する第五関数発生器５２と、
前記切換器４５から出力される空気予熱器バイパスダンパ開度指令１９に基づき節炭器バイパスダンパ補正開度指令５３を求めて出力する第六関数発生器５４と、
前記比例積分調節器５０から出力される節炭器バイパスダンパ開度指令４９に対し前記第五関数発生器５２から出力される節炭器バイパスダンパ補正開度指令５１と前記第六関数発生器５４から出力される節炭器バイパスダンパ補正開度指令５３とを加え、節炭器バイパスダンパ開度指令２０を節炭器バイパスダンパ１０へ出力する加算器５５と
を備えてなる構成を有している。
【００１８】
前記シングルフリップフロップ４３は、ボイラ停止状態からボイラ起動後、空気予熱器入口空気温度１５と空気予熱器出口ガス温度１７との空気予熱器平均温度２４が設定値（例えば、６５［℃］程度）を越えるまでは、セットされたまま出力信号４４として「１」の信号が出力される一方、前記空気予熱器平均温度２４が前記設定値を越えると、リセットされ、出力信号４４として「０」の信号が出力されるようになっている。
【００１９】
前記第一関数発生器２８には、図３に示す如く、ボイラ負荷２６に対し空気予熱器平均温度設定値２７を略一定（例えば、６８［℃］程度）とするような関数が入力されている。
【００２０】
前記第二関数発生器３４には、図４に示す如く、ボイラ負荷２６の上昇に伴って空気予熱器バイパスダンパ補正開度指令３３を絞って行き、ボイラ負荷２６が所定の値以上では空気予熱器バイパスダンパ補正開度指令３３を「０」とするような関数が入力されている。
【００２１】
前記第三関数発生器３６には、図５に示す如く、脱硝入口ガス温度１３の上昇に伴って空気予熱器バイパスダンパ補正開度指令３５を絞って行き、脱硝入口ガス温度１３が所定の値以上では空気予熱器バイパスダンパ補正開度指令３５を「０」とするような関数が入力されている。
【００２２】
前記第四関数発生器４２には、図６に示す如く、空気予熱器入口空気温度１５の上昇に伴って空気予熱器バイパスダンパ開度指令４１を絞って行き、空気予熱器入口空気温度１５が所定の値以上では空気予熱器バイパスダンパ開度指令４１を「０」とするような関数が入力されている。
【００２３】
前記第五関数発生器５２には、図７に示す如く、ボイラ負荷２６の上昇に伴って節炭器バイパスダンパ補正開度指令５１を絞って行き、ボイラ負荷２６が所定の値以上では節炭器バイパスダンパ補正開度指令５１を「０」とするような関数が入力されている。
【００２４】
前記第六関数発生器５４には、図８に示す如く、空気予熱器バイパスダンパ開度指令１９が所定の値に達するまでは節炭器バイパスダンパ補正開度指令５３を「０」のままとし、空気予熱器バイパスダンパ開度指令１９が所定の値を越え制御余裕がなくなってきたら、該空気予熱器バイパスダンパ開度指令１９の上昇に伴って節炭器バイパスダンパ補正開度指令５３を増加させて行くような関数が入力されている。
【００２５】
次に、上記図示例の作動を説明する。
【００２６】
ボイラが停止状態から起動されると、脱硝入口ガス温度検出器１４によって脱硝入口ガス温度１３が検出され、空気予熱器入口空気温度検出器１６によって空気予熱器入口空気温度１５が検出され、空気予熱器出口ガス温度検出器１８によって空気予熱器出口ガス温度１７が検出され、前記脱硝入口ガス温度検出器１４で検出された脱硝入口ガス温度１３と、前記空気予熱器入口空気温度検出器１６で検出された空気予熱器入口空気温度１５と、前記空気予熱器出口ガス温度検出器１８で検出された空気予熱器出口ガス温度１７とが制御装置２１へ入力される。
【００２７】
ボイラ停止状態からボイラ起動後、空気予熱器入口空気温度１５と空気予熱器出口ガス温度１７との空気予熱器平均温度２４が設定値（例えば、６５［℃］程度）を越えるまでは、シングルフリップフロップ４３はセットされたまま、出力信号４４として「１」の信号が切換器４５へ出力されており、該切換器４５はａ側に切り換えられているため、空気予熱器入口空気温度１５に基づいて第四関数発生器４２から出力される空気予熱器バイパスダンパ開度指令４１がそのまま空気予熱器バイパスダンパ開度指令１９として空気予熱器バイパスダンパ１２へ出力され、該空気予熱器バイパスダンパ１２の開度調整が行われる。
【００２８】
これと同時に、制御装置２１の減算器４８において脱硝入口ガス温度設定値４６と脱硝入口ガス温度１３との差が求められ、脱硝入口ガス温度偏差４７が比例積分調節器５０へ出力され、該比例積分調節器５０において前記減算器４８から出力される脱硝入口ガス温度偏差４７が比例積分処理されて該脱硝入口ガス温度偏差４７をなくすための節炭器バイパスダンパ開度指令４９が加算器５５へ出力され、該加算器５５において、ボイラ負荷２６に基づいて第五関数発生器５２から出力される節炭器バイパスダンパ補正開度指令５１と、前記空気予熱器バイパスダンパ開度指令１９に基づいて第六関数発生器５４から出力される節炭器バイパスダンパ補正開度指令５３とが前記節炭器バイパスダンパ開度指令４９に加算され、節炭器バイパスダンパ開度指令２０が節炭器バイパスダンパ１０へ出力され、該節炭器バイパスダンパ１０の開度調整が行われる。
【００２９】
一方、前記空気予熱器平均温度２４が前記設定値を越えると、シングルフリップフロップ４３がリセットされ、出力信号４４として「０」の信号が前記切換器４５へ出力され、該切換器４５はｂ側に切り換えられる。
【００３０】
このため、制御装置２１の加算器２３において空気予熱器入口空気温度１５と空気予熱器出口ガス温度１７との和２２が求められて除算器２５へ出力され、該除算器２５において前記加算器２３から出力される空気予熱器入口空気温度１５と空気予熱器出口ガス温度１７との和２２が２で割られ空気予熱器平均温度２４が求められて減算器３０へ出力され、該減算器３０においてボイラ負荷２６に基づき第一関数発生器２８から出力される空気予熱器平均温度設定値２７と前記除算器２５から出力される空気予熱器平均温度２４との空気予熱器平均温度偏差２９が求められて比例積分調節器３２へ出力され、該比例積分調節器３２において前記減算器３０から出力される空気予熱器平均温度偏差２９が比例積分処理されて該空気予熱器平均温度偏差２９をなくすための空気予熱器バイパスダンパ開度指令３１が加算器４０へ出力され、該加算器４０において、ボイラ負荷２６に基づいて第二関数発生器３４から出力される空気予熱器バイパスダンパ補正開度指令３３と、脱硝入口ガス温度１３に基づいて第三関数発生器３６から出力される空気予熱器バイパスダンパ補正開度指令３５とを加算器３８で加えてなる空気予熱器バイパスダンパ補正開度指令３７が、前記空気予熱器バイパスダンパ開度指令３１に対して加算され、空気予熱器バイパスダンパ開度指令３９が前記切換器４５を介して空気予熱器バイパスダンパ開度指令１９として空気予熱器バイパスダンパ１２へ出力され、該空気予熱器バイパスダンパ１２の開度調整が行われる。
【００３１】
尚、これと同時に、前述と同様、制御装置２１の減算器４８において脱硝入口ガス温度設定値４６と脱硝入口ガス温度１３との差が求められ、脱硝入口ガス温度偏差４７が比例積分調節器５０へ出力され、該比例積分調節器５０において前記減算器４８から出力される脱硝入口ガス温度偏差４７が比例積分処理されて該脱硝入口ガス温度偏差４７をなくすための節炭器バイパスダンパ開度指令４９が加算器５５へ出力され、該加算器５５において、ボイラ負荷２６に基づいて第五関数発生器５２から出力される節炭器バイパスダンパ補正開度指令５１と、前記空気予熱器バイパスダンパ開度指令１９に基づいて第六関数発生器５４から出力される節炭器バイパスダンパ補正開度指令５３とが前記節炭器バイパスダンパ開度指令４９に加算され、節炭器バイパスダンパ開度指令２０が節炭器バイパスダンパ１０へ出力され、該節炭器バイパスダンパ１０の開度調整が行われる。
【００３２】
この結果、冬場のように大気温度が低い場合には、空気予熱器入口空気温度１５に基づいて第四関数発生器４２から出力される空気予熱器バイパスダンパ開度指令４１により空気予熱器バイパスダンパ１２が開かれ、二次空気の一部が空気予熱器８を通過せずに迂回するため、空気予熱器８の出口ガス温度が低下せずに早期に上昇し、空気予熱器８の低温端腐食が防止される。
【００３３】
しかも、空気予熱器入口空気温度１５と空気予熱器出口ガス温度１７との空気予熱器平均温度２４が設定値を越えた後に切り換えて行われる、空気予熱器平均温度２４を空気予熱器平均温度設定値２７に保持するための空気予熱器バイパスダンパ１２の制御においては、これと並行して行われる節炭器バイパスダンパ１０の制御により脱硝入口ガス温度１３が上昇してくるが、本図示例の場合には、脱硝入口ガス温度１３に基づいて第三関数発生器３６から出力される空気予熱器バイパスダンパ補正開度指令３５により、基本となる空気予熱器バイパスダンパ開度指令３１を修正しているため、節炭器バイパスダンパ１０の制御に対し協調の取れた空気予熱器バイパスダンパ１２の制御が可能となる。
【００３４】
又、空気予熱器８の水洗時等、空気予熱器出口ガス温度１７の低下により、空気予熱器バイパスダンパ１２の開度が大となり、制御余裕が不足した場合には、脱硝入口ガス温度１３を上昇させる必要があるが、本図示例の場合、空気予熱器バイパスダンパ１２へ出力される空気予熱器バイパスダンパ開度指令１９に基づいて第六関数発生器５４から出力される節炭器バイパスダンパ補正開度指令５３により、基本となる節炭器バイパスダンパ開度指令４９を修正し、節炭器バイパスダンパ１０の開度を広げる方向に修正を加えるようになっているため、前記脱硝入口ガス温度１３を上昇させることができる。
【００３５】
こうして、節炭器バイパスダンパ１０の制御と空気予熱器バイパスダンパ１２の制御との協調を図りつつ、脱硝入口ガス温度１３の早期上昇並びに空気予熱器８の低温端腐食防止を図り得る。
【００３６】
尚、本発明の空気予熱器バイパスダンパと節炭器バイパスダンパの協調制御方法は、上述の図示例にのみ限定されるものではなく、本発明の要旨を逸脱しない範囲内において種々変更を加え得ることは勿論である。
【００３７】
【発明の効果】
以上、説明したように本発明の空気予熱器バイパスダンパと節炭器バイパスダンパの協調制御方法によれば、節炭器バイパスダンパの制御と空気予熱器バイパスダンパの制御との協調を図りつつ、脱硝入口ガス温度の早期上昇並びに空気予熱器の低温端腐食防止を図り得るという優れた効果を奏し得る。
【図面の簡単な説明】
【図１】本発明を実施する形態の一例の全体概要構成図である。
【図２】本発明を実施する形態の一例における制御装置の制御ブロック図である。
【図３】図２に示される第一関数発生器に入力された関数を表わす線図である。
【図４】図２に示される第二関数発生器に入力された関数を表わす線図である。
【図５】図２に示される第三関数発生器に入力された関数を表わす線図である。
【図６】図２に示される第四関数発生器に入力された関数を表わす線図である。
【図７】図２に示される第五関数発生器に入力された関数を表わす線図である。
【図８】図２に示される第六関数発生器に入力された関数を表わす線図である。
【図９】従来例の全体概要構成図である。
【符号の説明】
５  節炭器
７  脱硝装置
８  空気予熱器
９  節炭器バイパスライン
１０  節炭器バイパスダンパ
１１  空気予熱器バイパスライン
１２  空気予熱器バイパスダンパ
１３  脱硝入口ガス温度
１５  空気予熱器入口空気温度
１７  空気予熱器出口ガス温度
１９  空気予熱器バイパスダンパ開度指令
２０  節炭器バイパスダンパ開度指令
２１  制御装置
２４  空気予熱器平均温度
２６  ボイラ負荷
２７  空気予熱器平均温度設定値
２９  空気予熱器平均温度偏差
３１  空気予熱器バイパスダンパ開度指令
３３  空気予熱器バイパスダンパ補正開度指令
３５  空気予熱器バイパスダンパ補正開度指令
３９  空気予熱器バイパスダンパ開度指令
４１  空気予熱器バイパスダンパ開度指令
４６  脱硝入口ガス温度設定値
４７  脱硝入口ガス温度偏差
４９  節炭器バイパスダンパ開度指令
５１  節炭器バイパスダンパ補正開度指令
５３  節炭器バイパスダンパ補正開度指令
【図１】
0003941254.tif 000002
【図２】
0003941254.tif 000003
【図３】
0003941254.tif 000004
【図４】
0003941254.tif 000005
【図５】
0003941254.tif 000006
【図６】
0003941254.tif 000007
【図７】
0003941254.tif 000008
【図８】
0003941254.tif 000009
【図９】
0003941254.tif 000010